(57)【要約】【課題】空気調和機が設置される場所の室温や湿度の変化しやすさに応じてその出力を制御することができる。【解決手段】サーバ装置は、空気調和機の運転実績を示す実績データを受信する実績データ受信部と、実績データ受信部が受信した実績データを記憶する実績データ記憶部と、実績データ記憶部が記憶する実績データに基づいて、空気調和機の調整速度を目標調整速度にするための空気調和機の出力を示すモデルを生成する生成部と、を備える。【選択図】図１
2017223426.tif 000002
【特許請求の範囲】
【請求項１】
空気調和機の運転実績を示す実績データを受信する実績データ受信部と、
前記実績データ受信部が受信した実績データを記憶する実績データ記憶部と、
前記実績データ記憶部が記憶する実績データに基づいて、前記空気調和機の調整速度を目標調整速度にするための前記空気調和機の出力を示すモデルを生成する生成部と、
を備えることを特徴とするサーバ装置。
【請求項２】
前記生成部が生成したモデルを記憶するモデル記憶部と、
前記空気調和機から所定条件を含む条件データを受信する条件データ受信部と、
前記条件データ受信部が受信した条件データに基づいて、前記モデル記憶部からモデルを選択する選択部と、
前記選択部が選択したモデルに基づいて、前記空気調和機の出力を制御するための制御ルールを前記空気調和機に送信する制御ルール送信部と、
を備えることを特徴とする請求項１に記載のサーバ装置。
【請求項３】
前記選択部は、前記モデルを１つ選択する
ことを特徴とする請求項２に記載のサーバ装置。
【請求項４】
前記選択部は、前記モデルを複数選択し、
前記制御ルール送信部は、前記選択部が選択した複数のモデルそれぞれの制御ルールを、ユーザが１つ選択可能になるよう送信する
ことを特徴とする請求項２に記載のサーバ装置。
【請求項５】
運転実績を示す実績データをサーバ装置に送信する実績データ送信部と、
前記実績データ送信部が送信した実績データに基づいて生成された、調整速度を目標調整速度にするための出力を示すモデルに基づく出力を制御するための制御ルールを前記サーバ装置から受信する制御ルール受信部と、
前記制御ルール受信部が受信した制御ルールに基づいて運転動作する運転動作部と、
を備えることを特徴とする空気調和機。
【請求項６】
サーバ装置と空気調和機とを備える空気調和システムであって、
前記サーバ装置は、
前記空気調和機の運転実績を示す実績データを受信する実績データ受信部と、
前記実績データ受信部が受信した実績データを記憶する実績データ記憶部と、
前記実績データ記憶部が記憶する実績データに基づいて、前記空気調和機の調整速度を目標調整速度にするための前記空気調和機の出力を示すモデルを生成する生成部と、
を備え、
前記空気調和機は、
前記実績データを前記サーバ装置に送信する実績データ送信部、
を備えることを特徴とする空気調和システム。
【請求項７】
運転実績を示す実績データを記憶する実績データ記憶部と、
前記実績データ記憶部が記憶する実績データに基づいて、調整速度を目標調整速度にするための出力を示すモデルを生成する生成部と、
を備えることを特徴とする空気調和機。
【請求項８】
サーバ装置における空気調和機の制御モデル生成方法であって、
空気調和機の運転実績を示す実績データを受信する実績データ受信過程と、
受信した前記実績データを実績データ記憶部に記憶する実績データ記憶過程と、
前記実績データ記憶部が記憶する実績データに基づいて、前記空気調和機の調整速度を目標調整速度にするための前記空気調和機の出力を示すモデルを生成する生成過程と、
を有することを特徴とする空気調和機の制御モデル生成方法。
【請求項９】
コンピュータに、
空気調和機の運転実績を示す実績データを受信する実績データ受信ステップと、
受信した前記実績データを実績データ記憶部に記憶する実績データ記憶ステップと、
前記実績データ記憶部が記憶する実績データに基づいて、目標調整速度にするための前記空気調和機の出力を示すモデルを生成する生成ステップと、
を実行させるための空気調和機の制御モデル生成プログラム。
【発明の詳細な説明】
【技術分野】
【０００１】
本発明は、サーバ装置、空気調和機、空気調和システム、空気調和機の制御モデル生成方法及び空気調和機の制御モデル生成プログラムに関する。
【背景技術】
【０００２】
特許文献１には、ポイントオブプレゼンスのエージェントからのモニタリングの情報を収集するクラウドモニタリングサービスを含むことが可能なクラウドモニタリングフェデレーションが記載されている。また、特許文献２には、建物全体における各部屋の間取りや構造、及び建物の断熱性能を考慮した、高い省エネ性能を実現できる最適な能力の冷暖房機器の選定を支援可能な冷暖房機器選定支援システムが記載されている。また、特許文献３には、空調の快適性を維持しつつ、省エネルギーを図る空気調和システムが記載されている。
【先行技術文献】
【特許文献】
【０００３】
【特許文献１】特許第５６７７４６４号公報
【特許文献２】特許第５４８０６０７号公報
【特許文献３】特許第５５３８２８９号公報
【発明の概要】
【発明が解決しようとする課題】
【０００４】
しかしながら、特許文献１〜３に記載の技術では、空気調和機が設置される場所の室温や湿度の変化しやすさを考慮した上で出力を制御する事が困難である、という問題がある。
【０００５】
本発明は上記の点に鑑みてなされたものであり、空気調和機が設置される場所の室温や湿度の変化しやすさに応じてその出力を制御することができるサーバ装置、空気調和機、空気調和システム、空気調和機の制御モデル生成方法及び空気調和機の制御モデル生成プログラムを提供することを課題とする。
【課題を解決するための手段】
【０００６】
本発明は上記の課題を解決するためになされたものであり、本発明の第１の態様は、空気調和機の運転実績を示す実績データを受信する実績データ受信部と、前記実績データ受信部が受信した実績データを記憶する実績データ記憶部と、前記実績データ記憶部が記憶する実績データに基づいて、前記空気調和機の調整速度を目標調整速度にするための前記空気調和機の出力を示すモデルを生成する生成部と、を備えることを特徴とするサーバ装置である。
【０００７】
また、本発明の第２の態様は、運転実績を示す実績データをサーバ装置に送信する実績データ送信部と、前記実績データ送信部が送信した実績データに基づいて生成された、調整速度を目標調整速度にするための出力を示すモデルに基づく出力を制御するための制御ルールを前記サーバ装置から受信する制御ルール受信部と、前記制御ルール受信部が受信した制御ルールに基づいて運転動作する運転動作部と、を備えることを特徴とする空気調和機である。
【０００８】
また、本発明の第３の態様は、サーバ装置と空気調和機とを備える空気調和システムであって、前記サーバ装置は、前記空気調和機の運転実績を示す実績データを受信する実績データ受信部と、前記実績データ受信部が受信した実績データを記憶する実績データ記憶部と、前記実績データ記憶部が記憶する実績データに基づいて、前記空気調和機の調整速度を目標調整速度にするための前記空気調和機の出力を示すモデルを生成する生成部と、を備え、前記空気調和機は、前記実績データを前記サーバ装置に送信する実績データ送信部、を備えることを特徴とする空気調和システムである。
【０００９】
また、本発明の第４の態様は、運転実績を示す実績データを記憶する実績データ記憶部と、前記実績データ記憶部が記憶する実績データに基づいて、調整速度を目標調整速度にするための出力を示すモデルを生成する生成部と、を備えることを特徴とする空気調和機である。
【００１０】
また、本発明の第５の態様は、サーバ装置における空気調和機の制御モデル生成方法であって、空気調和機の運転実績を示す実績データを受信する実績データ受信過程と、受信した前記実績データを実績データ記憶部に記憶する実績データ記憶過程と、前記実績データ記憶部が記憶する実績データに基づいて、前記空気調和機の調整速度を目標調整速度にするための前記空気調和機の出力を示すモデルを生成する生成過程と、を有することを特徴とする空気調和機の制御モデル生成方法である。
【００１１】
また、本発明の第６の態様は、コンピュータに、空気調和機の運転実績を示す実績データを受信する実績データ受信ステップと、受信した前記実績データを実績データ記憶部に記憶する実績データ記憶ステップと、前記実績データ記憶部が記憶する実績データに基づいて、前記空気調和機の調整速度を目標調整速度にするための前記空気調和機の出力を示すモデルを生成する生成ステップと、を実行させるための空気調和機の制御モデル生成プログラムである。
【発明の効果】
【００１２】
本発明によれば、空気調和機が設置される場所の室温や湿度の変化しやすさに応じてその出力を制御することができる。
【図面の簡単な説明】
【００１３】
【図１】本発明の第１の実施形態に係る空気調和システムの構成を示すブロック図である。
【図２】第１の実施形態に係るエアコン及び家電アダプタの構成を示すブロック図である。
【図３】第１の実施形態に係るクラウドサーバの構成を示すブロック図である。
【図４】第１の実施形態に係るリモコンの構成を示すブロック図である。
【図５】第１の実施形態に係るエアコンの出力を説明するための図である。
【図６】第１の実施形態に係るエアコンの出力を説明するための図である。
【図７】第１の実施形態に係るエアコンが運転動作したときの室温の変化を示すグラフである。
【図８】第１の実施形態に係る目標調整速度を示すグラフである。
【図９】第１の実施形態に係るクラウドサーバが生成するモデルの一例を示す概略図である。
【図１０】第１の実施形態に係る空気調和システムの動作の一例を示すシーケンス図である。
【図１１】第１の実施形態に係るリモコンが表示する設定画面の一例を示すイメージ図である。
【図１２】第１の実施形態に係る空気調和システムの動作の一例を示すシーケンス図である。
【図１３】本発明の第２の実施形態に係る空気調和システムの動作の一例を示すシーケンス図である。
【図１４】本発明の第３の実施形態に係るエアコンの構成を示すブロック図である。
【図１５】第３の実施形態に係るエアコンのモデル生成処理の一例を示すフローチャートである。
【図１６】第３の実施形態に係るエアコンのモデル適用処理の一例を示すフローチャートである。
【図１７】第４の実施形態に係るエアコンのモデル適用処理の一例を示すフローチャートである。
【図１８】湿度に関するモデルの一例を示す概略図である。
【図１９】複数のモデルから新たにモデルを生成する例を示す概略図である。
【図２０】リモコンが表示する設定画面の一例を示すイメージ図である。
【発明を実施するための形態】
【００１４】
以下、図面を参照しながら本発明の実施形態について詳しく説明する。
（第１の実施形態）
まず、本発明の第１の実施形態について説明する。
図１は、第１の実施形態に係る空気調和システム１００の構成を示すブロック図である。
空気調和システム１００は、エアコン１０の運転動作を制御するためのシステムであり、エアコン１０（空気調和機）と、クラウドサーバ２０（サーバ装置）と、リモコン３０と、家電アダプタ５０と、を備える。
【００１５】
クラウドサーバ２０は、インターネットを含む広域通信ネットワーク４０を介して家電アダプタ５０と通信可能なサーバ装置である。なお、クラウドサーバ２０と家電アダプタ５０とを繋ぐ通信網としてインターネットを含む広域通信ネットワーク４０を例示したが、電話回線網、移動体通信網、ＣＡＴＶ通信網、衛星通信網などを利用することもできる。
【００１６】
エアコン１０は、空気調和運転を行うエアーコンディショナーである。エアコン１０は、ユーザの宅内（屋内）に設置されている。エアコン１０は、冷房と、暖房と、除湿との３つの運転モードを有する。また、エアコン１０は、通常モードと、通常モードよりも急速に空気調和するスピードモードと、通常モードよりも低消費電力なエコモードとの３つの動作モードを有する。エアコン１０は、家電アダプタ５０を介して、クラウドサーバ２０と通信可能である。なお、家電アダプタ５０とエアコン１０とが一体化された構成であってもよい。
【００１７】
家電アダプタ５０は、エアコン１０がクラウドサーバ２０と無線通信するための無線通信機器である。家電アダプタ５０は、エアコン１０に接続されている。なお、家電アダプタ５０は、エアコン１０以外の装置、例えば、冷蔵庫、洗濯機、調理器具、照明装置、給湯機器、撮影機器、各種ＡＶ機器、各種ロボット（例えば、掃除ロボット、家事支援ロボット、動物型ロボット等）等にも接続できる。
【００１８】
リモコン３０は、エアコン１０を遠隔操作するリモートコントローラである。
【００１９】
図２は、第１の実施形態に係るエアコン１０及び家電アダプタ５０の構成を示すブロック図である。
家電アダプタ５０は、制御部５１と、記憶部５２と、通信部５３と、接続部５４とを備える。制御部５１は、家電アダプタ５０の各部の動作を統括的に制御する。記憶部５２は、家電アダプタ５０で用いられる各種情報を記憶する。通信部５３は、広域通信ネットワーク４０を介して他の機器と無線通信する。接続部５４は、エアコン１０の接続部１６と接続して相互通信する。
【００２０】
エアコン１０は、制御部１１と、記憶部１２と、運転動作部１３と、電源部１４と、環境検知部１５と、接続部１６と、通信部１７と、を備える。
【００２１】
制御部１１は、エアコン１０の各部の動作を統括的に制御する。また、制御部１１は、家電アダプタ５０を介して、運転動作部１３による運転実績を示す実績データをクラウドサーバ２０に送信する。実績データは、各エアコン１０を識別するための機器ＩＤと、設定室温に向かって運転動作を開始したときの室温と、設定室温と、運転モードと、動作モードと、熱交換出力と、ファン出力と、設定室温に向かって運転動作を開始してから現在室温が設定室温になるまでの所要時間とを含む。設定室温は、リモコン３０においてユーザが設定した室温である。熱交換出力は、熱交換器の稼働率である。ファン出力は、ファンの回転数である。例えば、制御部１１は、設定室温に向かって運転動作を開始したときを実績データの開始タイミングとする。また、制御部１１は、現在室温が設定室温になったとき、あるいは、設定室温に向かって運転動作を開始してからの所要時間が実用に耐える時間（例えば、１５分）経過後に、目標の変更（設定室温の変更または運転モードの変更）または電源がオフになったときを、実績データの終了タイミングとする。なお、制御部１１は、設定室温に向かって運転動作を開始してからの所要時間が実用に耐える時間経過後に、目標の変更または電源がオフになったときには、どの程度目標達成したか、達成度と時間から推測する。このとき、実績データに含まれる設定室温は、実績データの終了タイミング時の室温になる。また、制御部１１は、家電アダプタ５０を介して、所定条件を含む条件データをクラウドサーバ２０に送信する。本実施形態における所定条件は、現在室温が設定室温になることである。条件データは、機器ＩＤと、環境検知部１５が検知した現在室温と、リモコン３０において設定された設定室温と、運転モードと、動作モードとを含む。また、制御部１１は、家電アダプタ５０を介して、運転動作部１３の出力（以下、エアコン出力とする）を制御するための制御ルールをクラウドサーバ２０から受信し、受信した制御ルールに基づいて運転動作部１３を運転動作させる。
【００２２】
記憶部１２は、エアコン１０にて用いられる各種情報を記憶する。運転動作部１３は、制御部１１による制御の下、エアコン１０の各種運転動作を実行する。運転動作の例としては、空気調和運転が挙げられる。例えば、空気調和運転としては、冷房運転、暖房運転、除湿運転などがある。なお、これらは例示であり、これらに限定されるものではない。
【００２３】
電源部１４は、制御部１１からの指示に基づき電源のＯＮおよびＯＦＦを行う。環境検知部１５は、宅内の気温（室温）および宅内の湿度を測定（検知）する。環境検知部１５は、温度センサおよび湿度センサから構成される。さらに、宅外の気温（外気温）を測定するように構成されていてもよい。環境検知部１５は、温度および湿度のうちの一方を検知できるようになっていてもよい。また、環境検知部１５は、温度および湿度以外の宅内の環境条件について検知できる構成を備えていてもよい。
【００２４】
接続部１６は、家電アダプタ５０の接続部５４と接続し、相互通信を行う。エアコン１０の接続部１６と家電アダプタ５０の接続部５４との間の接続は、例えば、ＵＳＢコネクタによる接続などであってもよい。通信部１７は、リモコン３０と赤外線通信などの双方向の無線通信を行う。
【００２５】
図３は、第１の実施形態に係るクラウドサーバ２０の構成を示すブロック図である。
クラウドサーバ２０は、制御部２１と、記憶部２２と、通信部２３とを備える。
【００２６】
制御部２１は、クラウドサーバ２０の各部の動作を統括的に制御する。また、制御部２１は、通信部２３を介して、エアコン１０から実績データを受信し、受信した実績データを実績データ記憶部２２１に書き込んで記憶する。また、制御部２１は、実績データ記憶部２２１が記憶する実績データに基づいて、エアコン１０の調整速度を目標調整速度にするためのエアコン出力を示すモデルを生成し、生成したモデルをモデル記憶部２２２に書き込んで記憶する。調整速度は、現在室温を設定室温にする速度である。また、目標調整速度は、予め設定された目標とする理想的な調整速度である。例えば、目標調整速度は、室温の変化が急激すぎず体にも優しく、節電効果もあり、バランスがよい調整速度である。また、制御部２１は、通信部２３を介して、エアコン１０から条件データを受信し、受信した条件データに基づいて、モデル記憶部２２２からモデルを１つ選択する。そして、制御部２１は、通信部２３を介して、選択したモデルに基づく制御ルールをエアコン１０に送信する。
【００２７】
通信部２３は、広域通信ネットワーク４０を介して他の機器と通信する。記憶部２２は、クラウドサーバ２０で用いられる各種情報を記憶する。記憶部２２は、実績データ記憶部２２１と、モデル記憶部２２２とを備える。実績データ記憶部２２１は、各エアコン１０の実績データを記憶する。モデル記憶部２２２は、各エアコン１０のモデルを記憶する。
【００２８】
図４は、第１の実施形態に係るリモコン３０の構成を示すブロック図である。
リモコン３０は、制御部３１と、記憶部３２と、通信部３３と、表示部３４と、入力部３５とを備える。制御部３１は、リモコン３０の各部の動作を統括的に制御する。記憶部３２は、リモコン３０で用いられる各種情報を記憶する。通信部３３は、赤外線通信などの双方向の無線通信によりエアコン１０と通信する。表示部３４は、液晶ディスプレイ等であり、情報を表示する。入力部３５は、各種ボタンや表示部３４の表示画面に設置されたタッチパネル等であり、入力を受け付ける。
【００２９】
続いて、本実施形態における空気調和システム１００の動作について説明する。まず、エアコン１０の概要について説明する。図５及び図６は、第１の実施形態に係るエアコン１０の出力を説明するための図である。図５に示すように、エアコン１０の空気調和は、熱交換器とファンによって行われる。エアコン１０は、熱交換器の熱交温度を変化させることにより周辺の空気の温度を変化させ、ファンでその空気を室内に送る事で室温を変化させる。従って、本実施形態では、「エアコン出力＝熱交換出力×ファン出力」と表現する。
【００３０】
図６（Ａ）に示すように、エアコン１０の主目的は、設置された部屋の室温を調整することである。そのため、エアコン出力は、環境検知部１５が検知するセンサ情報（温度センサからの現在室温）と、リモコン３０において設定されたユーザの嗜好（設定室温）とに基づいて決定する。例えば、図６（Ｂ）に示すように、設定室温と現在室温との差に基づいてエアコン出力が決定する。
【００３１】
図７は、第１の実施形態に係るエアコン１０が運転動作したときの室温の変化を示すグラフである。本図に示すグラフの横軸は時間であり、縦軸は室温である。本図には、現在室温が２３度であり、設定室温が２５度である場合の例を示す。
【００３２】
図７（Ａ）には、同一のエアコン出力における各部屋の室温の変化を示す。実線ｐは、理想的な（目標とする）室温の変化を示す。実線ｐに示す室温の変化は、急激すぎず体にも優しく、さらに節電効果もある、バランスがよい室温の変化である。実線ｐが、目標調整速度を示す。また、破線ａは、木造平屋の和室（以下、部屋Ａとする）における室温の変化を示す。破線ａでは、実線ｐよりも緩やかに室温が変化する。また、破線ｂは、鉄筋マンションの洋間（以下、部屋Ｂとする）における室温の変化を示す。破線ｂでは、実線ｐよりも急激に室温が変化する。図示するように、同一のエアコン出力であっても、エアコン１０が設置された部屋によって、現在室温が設定室温になるまでの所要時間が異なる。すなわち、現在室温を設定室温にするための単位時間あたりの変化室温である調整速度は、エアコン１０が設置された部屋によって異なる。
【００３３】
更には、図７（Ｂ）に示すように、エアコン１０の動作モードによっても、現在室温が設定室温になるまでの時間が異なる。破線ｂ１は、部屋Ｂにおけるスピードモード時の室温の変化を示す。また、破線ｂ２は、部屋Ｂにおける通常モード時の室温の変化を示す。また、破線ｂ３は、部屋Ｂにおけるエコモード時の室温の変化を示す。また、破線ａ１は、部屋Ａにおけるスピードモード時の室温の変化を示す。また、破線ａ２は、部屋Ａにおける通常モード時の室温の変化を示す。また、破線ａ３は、部屋Ａにおけるエコモード時の室温の変化を示す。
【００３４】
そのため、本実施形態における空気調和システム１００では、設置場所に関わらず、各動作モードに応じた目標調整速度（室温の変化）で室温を調整することを目的とする。例えば、クラウドサーバ２０は、部屋Ａに設置されたエアコン１０から破線ａに示す実績データを収集した場合には、部屋Ａにおいて、実線ｐに示す室温の変化に近づけるためのモデルを生成する。当該モデルは、破線ａに示す実績データの制御よりもエアコン出力が強いモデルである。また、クラウドサーバ２０は、部屋Ｂに設置されたエアコン１０から破線ｂに示す実績データを収集した場合には、部屋Ｂにおいて、実線ｐに示す室温の変化に近づけるためのモデルを生成する。当該モデルは、破線ｂに示す実績データの制御よりもエアコン出力が弱いモデルである。また、クラウドサーバ２０は、他の部屋Ｃに設置されたエアコン１０から破線ａに示す実績データと破線ｂに示す実績データとを収集した場合には、破線ａに示す実績データと破線ｂに示す実績データとに基づいて、その中間の実線ｐを実現するモデルを生成することも可能である。
【００３５】
図８は、第１の実施形態に係る目標調整速度を示すグラフである。本図には、冷房における現在室温（Ｔ２）と設定室温（Ｔ１）との温度差を（Ｔ１−Ｔ２）とした場合の目標調整速度と、暖房における現在室温（Ｔ１）と設定室温（Ｔ２）との温度差を（Ｔ２−Ｔ１）とした場合の目標調整速度を示す。破線ｃｓは、冷房におけるスピードモード時の目標調整速度（Ｔ１−Ｔ２）／Ｓを示す。また、破線ｃｎは、冷房における通常モード時の目標調整速度（Ｔ１−Ｔ２）／Ｎを示す。また、破線ｃｅは、冷房におけるエコモード時の目標調整速度（Ｔ１−Ｔ２）／Ｅを示す。また、破線ｈｓは、暖房におけるスピードモード時の目標調整速度（Ｔ２−Ｔ１）／Ｓを示す。また、破線ｈｎは、暖房における通常モード時の目標調整速度（Ｔ２−Ｔ１）／Ｎを示す。また、破線ｈｅは、暖房におけるエコモード時の目標調整速度（Ｔ２−Ｔ１）／Ｅを示す。ここで、Ｓ、Ｎ、Ｅは、スピードモード時、通常モード時、エコモード時のそれぞれの現在室温が設定室温になるまでの所要時間を示している。
【００３６】
クラウドサーバ２０は、各エアコン１０から実績データを収集して蓄積する。このとき、クラウドサーバ２０は、エアコン１０毎に、各運転モード及び各動作モードに紐付けて実績データを蓄積する。続いて、クラウドサーバ２０は、蓄積した実績データに基づいて、各エアコン１０における各動作モード時のモデルを運転モード毎に生成する。モデルは、調整速度を目標調整速度にするためのエアコン出力を示す。なお、目標調整速度は、現在室温と設定室温との温度差に応じてそれぞれ異なる。例えば、クラウドサーバ２０は、各実績データの平均値を算出することで、モデルを生成する。クラウドサーバ２０は、実績データの収集及びモデルの生成を繰り返すことにより、各エアコン１０において目標調整速度にするためのエアコン出力をより精度良く算出することができる。すなわち、クラウドサーバ２０は、実績データの収集及びモデルの生成を繰り返すことにより、当該エアコン１０において目標調整速度を実現するための、より高精度なモデルを生成することができる。
【００３７】
図９は、第１の実施形態に係るクラウドサーバ２０が生成するモデルの一例を示す概略図である。クラウドサーバ２０は、エアコン１０毎に、各運転モードの各動作モード時におけるモデルを温度差毎に生成する。本図には、部屋Ａに設置されたエアコン１０のモデルを示す。各モデルには、モデルの識別情報と、調整速度と、室温と、所要時間と、運転モードと、エアコン出力とが含まれる。調整速度は、室温の差を所要時間で除算したものである。室温は現在室温と設定室温との差である。所要時間は、現在室温が設定室温になるまでの所要時間である。また、エアコン出力には、熱交換出力と、ファン出力とが含まれる。
【００３８】
図示する例では、暖房における通常モード時のモデルの識別情報は「部屋Ａ：モデル１  Ｎｏｒｍａｌ」であり、調整速度は「中（（差Ｔ２−Ｔ１）／Ｎ）」であり、室温は「Ｔ１→Ｔ２（差Ｔ２−Ｔ１）」であり、所要時間は「Ｎ」であり、運転モードは「暖房」であり、エアコン出力は「中」であり、熱交換出力は「中」であり、ファン出力は「中」である。また、暖房におけるスピードモード時のモデルの識別情報は「部屋Ａ：モデル２  Ｓｐｅｅｄ」であり、調整速度は「大（（差Ｔ２−Ｔ１）／Ｓ）」であり、室温は「Ｔ１→Ｔ２（差Ｔ２−Ｔ１）」であり、所要時間は「Ｓ」であり、運転モードは「暖房」であり、エアコン出力は「大」であり、熱交換出力は「大」であり、ファン出力は「大」である。また、暖房におけるエコモード時のモデルの識別情報は「部屋Ａ：モデル３  Ｅｃｏ」であり、調整速度は「小（（差Ｔ２−Ｔ１）／Ｅ）」であり、室温は「Ｔ１→Ｔ２（差Ｔ２−Ｔ１）」であり、所要時間は「Ｅ」であり、運転モードは「暖房」であり、エアコン出力は「小」であり、熱交換出力は「小」であり、ファン出力は「小」である。また、冷房におけるエコモード時のモデルの識別情報は「部屋Ａ：モデル４  Ｅｃｏ」であり、調整速度は「小（（差Ｔ１−Ｔ２）／Ｅ）」であり、室温は「Ｔ２→Ｔ１（差Ｔ１−Ｔ２）」であり、所要時間は「Ｅ」であり、運転モードは「冷房」であり、エアコン出力は「小」であり、熱交換出力は「小」であり、ファン出力は「中」である。また、冷房における通常モード時のモデルの識別情報は「部屋Ａ：モデル５  Ｎｏｒｍａｌ」であり、調整速度は「中（（差Ｔ１−Ｔ２）／Ｎ）」であり、室温は「Ｔ２→Ｔ１（差Ｔ１−Ｔ２）」であり、所要時間は「Ｎ」であり、運転モードは「冷房」であり、エアコン出力は「中」であり、熱交換出力は「中」であり、ファン出力は「中」である。また、冷房におけるスピードモード時のモデルの識別情報は「部屋Ａ：モデル６  Ｓｐｅｅｄ」であり、調整速度は「大（（差Ｔ１−Ｔ２）／Ｓ）」であり、室温は「Ｔ２→Ｔ１（差Ｔ１−Ｔ２）」であり、所要時間は「Ｓ」であり、運転モードは「冷房」であり、エアコン出力は「大」であり、熱交換出力は「大」であり、ファン出力は「大」である。
【００３９】
図１０は、第１の実施形態に係る空気調和システム１００の動作の一例を示すシーケンス図である。本図には、クラウドサーバ２０がモデルを生成する際の動作を示す。
（ステップＳ１０１）エアコン１０は、実績データをクラウドサーバ２０に送信する。
【００４０】
（ステップＳ１０２）クラウドサーバ２０は、エアコン１０から実績データを受信すると、受信した実績データを実績データ記憶部２２１に書き込んで記憶する。その後、ステップＳ１０３の処理に進む。
（ステップＳ１０３）クラウドサーバ２０は、当該エアコン１０に関する実績データを実績データ記憶部２２１から読み出し、読み出した実績データに基づいて、当該エアコン１０に対するモデルを生成する。その後、処理を終了する。
【００４１】
次に、クラウドサーバ２０が生成したモデルをエアコン１０に適用（フィードバック）する際の動作について説明する。図１１は、第１の実施形態に係るリモコン３０が表示する設定画面の一例を示すイメージ図である。リモコン３０の表示部３４に表示される設定画面には、運転モード「冷房」と、設定室温「２６℃」とが表示される。ユーザは、リモコン３０の入力部３５を操作して、運転モードと、動作モードと、設定室温とを設定する。
【００４２】
リモコン３０は、ユーザが設定画面において設定した運転モードと動作モードと設定室温とをエアコン１０に送信する。エアコン１０は、機器ＩＤと、受信した運転モードと、受信した動作モードと、受信した設定室温と、検知した現在室温とを含む条件データをクラウドサーバ２０に送信する。クラウドサーバ２０は、エアコン１０から受信した条件データに対応するモデルを選択する。例えば、クラウドサーバ２０は、設定室温と現在室温との温度差と動作モードと運転モードとに対応する目標調整速度に、調整速度が最も近いモデルを１つ選択する。そして、クラウドサーバ２０は、選択したモデルが示すエアコン出力を含む制御ルールをエアコン１０に送信する。エアコン１０は、受信した制御ルールに含まれるエアコン出力で、設定された運転モードの運転を開始する。
【００４３】
図１２は、第１の実施形態に係る空気調和システム１００の動作の一例を示すシーケンス図である。本図には、エアコン１０にモデルを適用する際の動作を示す。まず、ユーザは、リモコン３０に表示された設定画面において設定室温と、運転モードと、動作モードとを設定する。リモコン３０は、設定された設定室温と、運転モードと、動作モードとをエアコン１０に送信する。
【００４４】
（ステップＳ２０１）エアコン１０は、リモコン３０から設定室温と運転モードと動作モードとを受信すると、受信した設定室温と、運転モードと、動作モードと、検知した現在室温と、機器ＩＤとを含む条件データをクラウドサーバ２０に送信する。
【００４５】
（ステップＳ２０２）クラウドサーバ２０は、エアコン１０から条件データを受信すると、受信した条件データに基づいて、モデルを１つ選択する。その後、ステップＳ２０３の処理に進む。
（ステップＳ２０３）クラウドサーバ２０は、選択したモデルが示す制御ルールをエアコン１０に送信する。
【００４６】
（ステップＳ２０４）エアコン１０は、クラウドサーバ２０から制御ルールを受信すると、受信した制御ルールに基づいて運転を開始する。その後、処理を終了する。
【００４７】
空気調和システム１００では、モデルの生成と適用を繰り返すことにより、目標調整速度を実現するための、より高精度なモデルを生成することができる。よって、エアコン１０が設置される場所の室温の変化のしやすさに応じたエアコン出力を制御することができる。
【００４８】
このように、本実施形態によれば、クラウドサーバ２０は、各エアコン１０の運転実績を示す実績データを記憶する実績データ記憶部２２１と、実績データ記憶部２２１が記憶する実績データに基づいて、エアコン１０の調整速度を目標調整速度にするためのエアコン１０の出力を示すモデルを生成する制御部２１と、制御部２１が生成したモデルを記憶するモデル記憶部２２２と、を備える。また、制御部２１は、エアコン１０から所定条件を含む条件データを受信すると、受信した条件データに基づいて、モデル記憶部２２２からモデルを１つ選択し、選択したモデルに基づいて、エアコン１０の出力を制御するための制御ルールをエアコン１０に送信する。また、エアコン１０は、運転実績を示す実績データをクラウドサーバ２０に送信する制御部１１と、クラウドサーバ２０から制御ルールを受信すると、受信した制御ルールに基づいて運転動作する運転動作部１３と、を備える。
【００４９】
これにより、エアコン１０が設置される場所の室温の変化しやすさに応じてエアコン出力を制御することができるため、ユーザの利用状況に沿った快適な空気調和を行うことが可能となる。
【００５０】
また、本実施形態では、現在室温が設定室温になるまでの所要時間の目標として、単位時間あたりの変化室温の目標である目標調整速度を用いることにより、様々な現在室温及び設定室温の条件に対しても適用することができるため、汎用性の高いシステムを提供できる。例えば、各エアコン１０において、現在室温が設定室温になるまでの所要時間を推定することもできる。具体的には、例えば、部屋Ａに設置されたエアコン１０では、エアコン出力がＸ（Ｘは、１００以下の正の実数）％である場合には、調整速度が０．１℃／分であるため、現在室温が設定室温になるまでに５０分必要である、といったような推定が可能となる。
【００５１】
（第２の実施形態）
次に、本発明の第２の実施形態について説明する。
本実施形態における空気調和システム１００の構成は、第１の実施形態と同様であるため、その説明を省略する。第１の実施形態では、クラウドサーバ２０は条件データに基づいてモデルを１つ選択しているが、本実施形態では、クラウドサーバ２０が条件データに基づいて複数（例えば、３つ）のモデルを選択する点で異なる。
【００５２】
本実施形態におけるクラウドサーバ２０の制御部２１は、エアコン１０から条件データを受信すると、受信した条件データに基づいて、モデルを複数選択する。例えば、制御部２１は、設定室温と現在室温との温度差と動作モードと運転モードとに対応する目標調整速度に、調整速度が最も近い３つのモデルを選択する。そして、制御部２１は、選択した複数のモデルそれぞれの制御ルールを、ユーザが１つ選択可能になるよう、通信部２３を介して送信する。
【００５３】
また、本実施形態におけるエアコン１０の制御部１１は、複数の制御ルールを受信すると、受信した制御ルールをリモコン３０に送信して、選択可能に表示する。そして、制御部１１は、ユーザが選択した１つの制御ルールをリモコン３０から通知されると、通知された制御ルールに基づいて運転動作部１３を運転動作させる。
【００５４】
図１３は、第２の実施形態に係る空気調和システム１００の動作の一例を示すシーケンス図である。本図には、エアコン１０にモデルを適用する際の動作を示す。なお、クラウドサーバ２０がモデルを生成する際の動作は、第１の実施形態と同様であるため、その説明を省略する。まず、ユーザは、リモコン３０に表示された設定画面において設定室温と、運転モードと、動作モードとを設定する。リモコン３０は、設定された設定室温と、運転モードと、動作モードとをエアコン１０に送信する。
【００５５】
（ステップＳ３０１）エアコン１０は、リモコン３０から設定室温と運転モードと動作モードとを受信すると、受信した設定室温と、運転モードと、動作モードと、検知した現在室温と、機器ＩＤとを含む条件データをクラウドサーバ２０に送信する。
【００５６】
（ステップＳ３０２）クラウドサーバ２０は、エアコン１０から条件データを受信すると、受信した条件データに基づいて、複数のモデルを選択する。その後、ステップＳ２０３の処理に進む。
（ステップＳ３０３）クラウドサーバ２０は、選択した複数のモデルそれぞれが示す制御ルールをエアコン１０に送信する。
【００５７】
（ステップＳ３０４）エアコン１０は、受信した複数の制御ルール（例えば、エアコン出力と所要時間）をリモコン３０に送信して表示する。リモコン３０は、受信した複数の制御ルールを選択可能に表示する。その後、ステップＳ３０５の処理に進む。
（ステップＳ３０５）リモコン３０は、制御ルールの選択入力を受け付ける。ユーザは、表示された複数の制御ルールから１つを選択する。リモコン３０は、選択された制御ルールをエアコン１０に通知する。
【００５８】
（ステップＳ３０６）エアコン１０は、選択された制御ルールがリモコン３０から通知されると、選択された制御ルールに基づいて運転を開始する。その後、処理を終了する。
【００５９】
なお、本実施形態では、クラウドサーバ２０が３つのモデルを選択する場合を例に説明したが、選択するモデルの数はこれに限らず、２つであってもよいし、３つ以上であってもよい。
【００６０】
このように、本実施形態によれば、クラウドサーバ２０の制御部２１は、モデルを複数選択し、選択した複数のモデルそれぞれの制御ルールを、ユーザが１つ選択可能になるよう送信する。これにより、第１の実施形態における効果に加えて、ユーザが自身の嗜好に応じた制御ルールを選択することができる。
【００６１】
（第３の実施形態）
次に、本発明の第３の実施形態について説明する。
図１４は、第３の実施形態に係るエアコン６０の構成を示すブロック図である。
第１の実施形態では、クラウドサーバ２０がモデルを生成して選択しているが、本実施形態では、エアコン６０がモデルを生成して選択する点で異なる。
【００６２】
エアコン６０は、空気調和運転を行うエアーコンディショナー（空気調和機）である。エアコン６０は、ユーザの宅内（屋内）に設置されている。エアコン６０は、冷房と、暖房と、除湿との３つの運転モードを有する。また、エアコン６０は、通常モードと、通常モードよりも急速に空気調和するスピードモードと、通常モードよりも低消費電力なエコモードとの３つの動作モードを有する。
【００６３】
エアコン６０は、制御部６１と、記憶部６２と、運転動作部６３と、電源部６４と、環境検知部６５と、通信部６７と、を備える。
【００６４】
制御部６１は、エアコン６０の各部の動作を統括的に制御する。また、制御部６１は、運転動作部６３による運転実績を示す実績データを実績データ記憶部６２１に書き込んで記憶する。また、制御部６１は、実績データ記憶部６２１が記憶する実績データに基づいて、調整速度を目標調整速度にするための出力を示すモデルを生成し、生成したモデルをモデル記憶部６２２に書き込んで記憶する。また、制御部６１は、設定室温に向かって運転動作部６３が運転動作を開始するときに、所定条件を含む条件データに基づいて、モデル記憶部６２２からモデルを１つ選択する。そして、制御部６１は、選択したモデルに基づく、エアコン出力を制御するための制御ルールに基づいて運転動作部６３を運転動作させる。なお、モデルの生成方法及びモデルの選択方法は、第１の実施形態と同様であるため、その説明を省略する。
【００６５】
記憶部６２は、エアコン６０にて用いられる各種情報を記憶する。記憶部６２は、実績データ記憶部６２１と、モデル記憶部６２２とを備える。実績データ記憶部６２１は、実績データを記憶する。モデル記憶部６２２は、モデルを記憶する。
【００６６】
運転動作部６３は、制御部６１による制御の下、エアコン６０の各種運転動作を実行する。運転動作の例としては、空気調和運転が挙げられる。例えば、空気調和運転としては、冷房運転、暖房運転、除湿運転などがある。なお、これらは例示であり、これらに限定されるものではない。
【００６７】
電源部６４は、制御部６１からの指示に基づき電源のＯＮおよびＯＦＦを行う。環境検知部６５は、宅内の気温（室温）および宅内の湿度を測定（検知）する。環境検知部６５は、温度センサおよび湿度センサから構成される。さらに、宅外の気温（外気温）を測定するように構成されていてもよい。環境検知部６５は、温度および湿度のうちの一方を検知できるようになっていてもよい。また、環境検知部６５は、温度および湿度以外の宅内の環境条件について検知できる構成を備えていてもよい。通信部６７は、リモコン３０と赤外線通信などの双方向の無線通信を行う。リモコン３０の構成は、第１の実施形態と同様であるため、その説明を省略する。
【００６８】
続いて、本実施形態におけるエアコン６０の動作について説明する。図１５は、第３の実施形態に係るエアコン６０のモデル生成処理の一例を示すフローチャートである。エアコン６０は、設定室温に向かって運転動作を開始し、現在室温が設定室温になったときに、本図に示す処理を実行する。或いは、エアコン６０は、設定室温に向かって運転動作を開始してからの所要時間が実用に耐える時間経過後に、目標の変更または電源がオフになったときに、本図に示す処理を実行する。
【００６９】
（ステップＳ４０１）制御部６１は、設定室温に向かって運転動作を開始したときの室温と、設定室温と、運転モードと、動作モードと、熱交換出力と、ファン出力と、設定室温に向かって運転動作を開始してから現在室温が設定室温になるまでの所要時間とを含む実績データを実績データ記憶部６２１に書き込んで記憶する。その後、ステップＳ４０２の処理に進む。
（ステップＳ４０２）制御部６１は、実績データ記憶部６２１から実績データを読み出し、読み出した実績データに基づいてモデルを生成する。その後、処理を終了する。
【００７０】
図１６は、第３の実施形態に係るエアコン６０のモデル適用処理の一例を示すフローチャートである。エアコン６０は、設定室温に向かって運転動作を開始する際に、本図に示す処理を実行する。まず、ユーザは、リモコン３０に表示された設定画面において設定室温と、運転モードと、動作モードとを設定する。リモコン３０は、設定された設定室温と、運転モードと、動作モードとをエアコン６０に送信する。
【００７１】
（ステップＳ５０１）制御部６１は、リモコン３０から設定室温と運転モードと動作モードとを受信すると、受信した設定室温と、運転モードと、動作モードと、検知した現在室温とを含む条件データに基づいて、モデルを選択する。その後、ステップＳ５０２の処理に進む。
（ステップＳ５０２）制御部６１は、選択したモデルが示す制御ルールに基づいて運転を開始する。その後、処理を終了する。
【００７２】
このように、本実施形態によれば、エアコン６０は、運転実績を示す実績データを記憶する実績データ記憶部６２１と、実績データ記憶部６２１が記憶する実績データに基づいて、調整速度を目標調整速度にするためのエアコン出力を示すモデルを生成し、所定条件を含む条件データに基づいて、モデル記憶部６２２からモデルを選択する制御部６１と、制御部６１が生成したモデルを記憶するモデル記憶部６２２と、制御部６１が選択したモデルに基づいて、運転動作する運転動作部６３と、を備える。
【００７３】
これにより、エアコン６０が設置される場所の室温の変化しやすさに応じてその出力を制御することができるため、ユーザの利用状況に沿った快適な空気調和を行うことが可能となる。更には、エアコン６０においてモデルを生成して選択しているため、クラウドサーバと通信する必要がなく、エアコン６０のみで構成することができる。
【００７４】
（第４の実施形態）
次に、本発明の第４の実施形態について説明する。
本実施形態におけるエアコン６０の構成は、第３の実施形態と同様であるため、その説明を省略する。第３の実施形態では、エアコン６０は条件データに基づいてモデルを１つ選択しているが、本実施形態では、エアコン６０は条件データに基づいて複数（例えば、３つ）のモデルを選択する点で異なる。
【００７５】
本実施形態における制御部６１は、条件データに基づいて、モデルを複数選択する。例えば、制御部６１は、設定室温と現在室温との温度差と動作モードと運転モードとに対応する目標調整速度に、調整速度が最も近い３つのモデルを選択する。そして、制御部６１は、選択した複数のモデルそれぞれの制御ルールをリモコン３０に送信して、選択可能に表示する。そして、制御部６１は、ユーザが選択した１つの制御ルールをリモコン３０から通知されると、通知された制御ルールに基づいて運転動作部６３を運転動作させる。
【００７６】
図１７は、第４の実施形態に係るエアコン６０のモデル適用処理の一例を示すフローチャートである。エアコン６０は、運転を開始する際に、本図に示す処理を実行する。なお、本実施形態におけるモデル生成処理は、第３の実施形態と同様であるため、その説明を省略する。まず、ユーザは、リモコン３０に表示された設定画面において設定室温と、運転モードと、動作モードとを設定する。リモコン３０は、設定された設定室温と、運転モードと、動作モードとをエアコン６０に送信する。
【００７７】
（ステップＳ６０１）制御部６１は、リモコン３０から設定室温と運転モードと動作モードとを受信すると、受信した設定室温と、運転モードと、動作モードと、検知した現在室温とを含む条件データに基づいて、モデルを複数選択する。その後、ステップＳ６０２の処理に進む。
（ステップＳ６０２）制御部６１は、選択した複数のモデルそれぞれの制御ルール（例えば、エアコン出力と所要時間）をリモコン３０に送信して表示する。リモコン３０は、受信した３つの制御ルールを選択可能に表示する。その後、ステップＳ６０３の処理に進む。
【００７８】
（ステップＳ６０３）リモコン３０は、制御ルールの選択入力を受け付ける。ユーザは、表示された複数の制御ルールから１つを選択する。リモコン３０は、選択された制御ルールをエアコン６０に通知する。
（ステップＳ６０４）制御部６１は、選択された制御ルールがリモコン３０から通知されると、選択された制御ルールに基づいて運転を開始する。その後、処理を終了する。
【００７９】
なお、本実施形態では、エアコン６０が３つのモデルを選択する場合を例に説明したが、選択するモデルの数はこれに限らず、２つであってもよいし、３つ以上であってもよい。
【００８０】
このように、本実施形態によればエアコン６０の制御部６１は、モデルを複数選択し、選択した複数のモデルそれぞれの制御ルールを、ユーザが１つ選択可能になるようリモコン３０に表示する。これにより、第３の実施形態における効果に加えて、ユーザが自身の嗜好に応じた制御ルールを選択することができる。
【００８１】
なお、上述した実施形態におけるクラウドサーバ２０、エアコン１０、エアコン６０の一部、例えば、制御部２１、制御部１１、制御部６１をコンピュータで実現するようにしても良い。その場合、この制御機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、クラウドサーバ２０、エアコン１０、エアコン６０に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
また、上述した実施形態におけるクラウドサーバ２０、エアコン１０、エアコン６０の一部、例えば、制御部２１、制御部１１、制御部６１のそれぞれを、ＬＳＩ（Ｌａｒｇｅ  Ｓｃａｌｅ  Ｉｎｔｅｇｒａｔｉｏｎ）等の集積回路として実現してもよい。また、例えば、制御部２１、制御部１１、制御部６１のそれぞれを集積してプロセッサ化してもよい。また、集積回路化の手法はＬＳＩに限らず専用回路、または汎用プロセッサで実現してもよい。また、半導体技術の進歩によりＬＳＩに代替する集積回路化の技術が出現した場合、当該技術による集積回路を用いてもよい。
【００８２】
以上、図面を参照してこの発明の一実施形態について詳しく説明してきたが、具体的な構成は上述のものに限られることはなく、この発明の要旨を逸脱しない範囲内において様々な設計変更等をすることが可能である。例えば、上述の第１〜４の実施形態において説明した各構成は、任意に組み合わせることができる。
【００８３】
また、上述した実施形態では、空気調和の一例として温度を調節する場合について説明したが、これに限らず、例えば、湿度を調整してもよい。図１８は、湿度に関するモデルの一例を示す概略図である。各モデルには、モデルの識別情報と、湿度調整速度と、湿度と、所要時間と、運転モードと、エアコン出力とが含まれる。湿度調整速度は、湿度を所要時間で除算したものである。湿度は、現在湿度と設定湿度との差である。所要時間は、現在湿度が設定湿度になるまでの所要時間である。本図には、現在室温Ｈ２を設定室温Ｈ１に調整する場合におけるモデルを示している。図示する例では、通常モード時のモデルの識別情報は「部屋Ｃ：モデル１  Ｎｏｒｍａｌ」であり、湿度調整速度は「中（（差Ｈ１−Ｈ２）／Ｎ）」であり、室温は「Ｈ２→Ｈ１（差Ｈ１−Ｈ２）」であり、所要時間は「Ｎ」であり、運転モードは「除湿」であり、エアコン出力は「中」であり、熱交換出力は「大」であり、ファン出力は「小」である。また、スピードモード時のモデルの識別情報は「部屋Ｃ：モデル２  Ｓｐｅｅｄ」であり、湿度調整速度は「大（（差Ｈ１−Ｈ２）／Ｓ）」であり、室温は「Ｈ２→Ｈ１（差Ｈ１−Ｈ２）」であり、所要時間は「Ｓ」であり、運転モードは「除湿」であり、エアコン出力は「大」であり、熱交換出力は「大」であり、ファン出力は「大」である。
【００８４】
また、上述した実施形態では、空気調和機としてエアーコンディショナーを例に説明したが、空気調和機はこれに限らず、例えば、空気清浄機、加湿器、除湿機等であってもよい。
【００８５】
また、現在室温が設定室温になるまでの目標所要時間をユーザが設定できるようにしてもよい。この場合には、クラウドサーバ２０またはエアコン６０は、設定された目標所要時間に最も所要時間が近いモデルを選択する。
【００８６】
或いは、クラウドサーバ２０またはエアコン６０は、目標所要時間に応じて、複数（例えば、２つ）のモデルから、時分割する等して新たにモデルを生成してもよい。図１９は、複数のモデルから新たにモデルを生成する例を示す概略図である。図示する例では、識別情報「部屋Ａ：モデル５  Ｎｏｒｍａｌ」と識別情報「部屋Ａ：モデル６  Ｓｐｅｅｄ」との中間程度のエアコン出力の識別情報「部屋Ａ：モデル中間」を生成している。識別情報「部屋Ａ：モデル中間」の所要時間は「２５分」であり、運転モードは「冷房」であり、エアコン出力は「中」であり、熱交換出力は「中」であり、ファン出力は「大」である。このように、既にある複数のモデルから新たにモデルを生成することにより、よりユーザの要求に合致した空気調和運転をすることができる。
【００８７】
また、リモコン３０は、スマートフォンやタブレット端末等の電子機器に専用のアプリケーションをインストールしたものであってもよい。図２０は、リモコン３０がスマートフォンである場合における設定画面の一例を示すイメージ図である。設定画面には、現在室温と設定室温とに基づいて自動運転させるための自動ボタンＭ１１と、冷房運転させるための冷房ボタンＭ１２と、除湿運転させるための除湿ボタンＭ１３と、暖房運転させるための暖房ボタンＭ１４と、設定室温を設定するための室温設定ボタンＴと、エコモードを選択するエコボタンＭ２１と、通常モードを選択する通常ボタンＭ２２と、スピードモードを選択するスピードボタンＭ２３と、運転を開始する運転開始ボタンＯと、運転を停止する停止ボタンＳと、が表示される。エコボタンＭ２１には、エコモード時における所要時間「エコ：５０分」が表示される。また、通常ボタンＭ２２には、通常モード時における所要時間「通常：３０分」が表示される。また、スピードボタンＭ２３には、スピードモード時における所要時間「急：２０分」が表示される。ここで表示される所要時間は、現在室温が設定室温になるまでの所要時間である。なお、当該設定画面に表示する各動作モードの所要時間は、選択したモデルから推定されたものである。また、設定画面には、運転モード「冷房」と、設定室温「２６℃」とが表示される。
【００８８】
また、上述した実施形態では、クラウドサーバ２０は、生成したモデルをモデル記憶部２２２に記憶しているが、これに限らず、生成したモデルをエアコン１０に送信し、エアコン１０がモデルを記憶してもよい。この場合には、エアコン１０が、記憶しているモデルから条件データに対応するモデルを選択してもよい。
【００８９】
（１）空気調和機の運転実績を示す実績データを受信する実績データ受信部と、実績データ受信部が受信した実績データを記憶する実績データ記憶部と、実績データ記憶部が記憶する実績データに基づいて、空気調和機の調整速度を目標調整速度にするための空気調和機の出力を示すモデルを生成する生成部と、を備えることを特徴とするサーバ装置。
【００９０】
（２）生成部が生成したモデルを記憶するモデル記憶部と、空気調和機から所定条件を含む条件データを受信する条件データ受信部と、条件データ受信部が受信した条件データに基づいて、モデル記憶部からモデルを選択する選択部と、選択部が選択したモデルに基づいて、空気調和機の出力を制御するための制御ルールを空気調和機に送信する制御ルール送信部と、を備えることを特徴とする（１）に記載のサーバ装置。
【００９１】
（３）選択部は、モデルを１つ選択することを特徴とする（２）に記載のサーバ装置。
（４）選択部は、モデルを複数選択し、制御ルール送信部は、選択部が選択した複数のモデルそれぞれの制御ルールを、ユーザが１つ選択可能になるよう送信することを特徴とする（２）に記載のサーバ装置。
【００９２】
（５）運転実績を示す実績データをサーバ装置に送信する実績データ送信部と、実績データ送信部が送信した実績データに基づいて生成された、調整速度を目標調整速度にするための出力を示すモデルに基づく出力を制御するための制御ルールをサーバ装置から受信する制御ルール受信部と、制御ルール受信部が受信した制御ルールに基づいて運転動作する運転動作部と、を備えることを特徴とする空気調和機。
【００９３】
（６）サーバ装置と空気調和機とを備える空気調和システムであって、サーバ装置は、空気調和機の運転実績を示す実績データを受信する実績データ受信部と、実績データ受信部が受信した実績データを記憶する実績データ記憶部と、実績データ記憶部が記憶する実績データに基づいて、空気調和機の調整速度を目標調整速度にするための空気調和機の出力を示すモデルを生成する生成部と、を備え、空気調和機は、実績データをサーバ装置に送信する実績データ送信部、を備えることを特徴とする空気調和システム。
【００９４】
（７）運転実績を示す実績データを記憶する実績データ記憶部と、実績データ記憶部が記憶する実績データに基づいて、調整速度を目標調整速度にするための出力を示すモデルを生成する生成部と、を備えることを特徴とする空気調和機。
【００９５】
（８）サーバ装置における空気調和機の制御モデル生成方法であって、空気調和機の運転実績を示す実績データを受信する実績データ受信過程と、受信した実績データを実績データ記憶部に記憶する実績データ記憶過程と、実績データ記憶部が記憶する実績データに基づいて、空気調和機の調整速度を目標調整速度にするための空気調和機の出力を示すモデルを生成する生成過程と、を有することを特徴とする空気調和機の制御モデル生成方法。
【００９６】
（９）コンピュータに、空気調和機の運転実績を示す実績データを受信する実績データ受信ステップと、受信した実績データを実績データ記憶部に記憶する実績データ記憶ステップと、実績データ記憶部が記憶する実績データに基づいて、空気調和機の調整速度を目標調整速度にするための空気調和機の出力を示すモデルを生成する生成ステップと、を実行させるための空気調和機の制御モデル生成プログラム。
【符号の説明】
【００９７】
１０，６０・・・エアコン、１１，６１・・・制御部、１２，６２・・・記憶部、１３，６３・・・運転動作部、１４，６４・・・電源部、１５，６５・・・環境検知部、１６・・・接続部、１７，６７・・・通信部、２０・・・クラウドサーバ、２１・・・制御部、２２・・・記憶部、２３・・・通信部、３０・・・リモコン、３１・・・制御部、３２・・・記憶部、３３・・・通信部、３４・・・表示部、３５・・・入力部、５０・・・家電アダプタ、５１・・・制御部、５２・・・記憶部、５３・・・通信部、５４・・・接続部、１００・・・空気調和システム、２２１，６２１・・・実績データ記憶部、２２２，６２２・・・モデル記憶部
【図１】
2017223426.tif 000003
【図２】
2017223426.tif 000004
【図３】
2017223426.tif 000005
【図４】
2017223426.tif 000006
【図５】
2017223426.tif 000007
【図６】
2017223426.tif 000008
【図７】
2017223426.tif 000009
【図８】
2017223426.tif 000010
【図９】
2017223426.tif 000011
【図１０】
2017223426.tif 000012
【図１１】
2017223426.tif 000013
【図１２】
2017223426.tif 000014
【図１３】
2017223426.tif 000015
【図１４】
2017223426.tif 000016
【図１５】
2017223426.tif 000017
【図１６】
2017223426.tif 000018
【図１７】
2017223426.tif 000019
【図１８】
2017223426.tif 000020
【図１９】
2017223426.tif 000021
【図２０】
2017223426.tif 000022